(57)【要約】【課題】簡単な構造で旋回噴流を実現する噴流浴装置を提供する。【解決手段】浴槽と、浴槽の浴槽壁に開口され浴槽の内部に貯留された浴槽水が吸い込まれる吸入口と、吸入口から浴槽水を吸入し加圧して吐出する加圧装置と、浴槽のあふれ縁より下で浴槽壁に対して保持される一重構造の筒体を有し、筒体の内部に導入された浴槽水を噴出方向を変化させながら浴槽の内部に噴出する噴流ノズルとを備え、筒体の内部に、加圧装置から送られる加圧浴槽水が導入される流水導入部と、流水導入部より下流側で流水導入部に連通し、流水導入部に対して流路断面が縮小された流路断面収縮部と、流路断面収縮部より下流側で流路断面収縮部に連通し、流路断面収縮部に対して流路断面が急拡大された流路断面急拡大部を上流側の端部に有し、且つ浴槽の内部に臨む噴出口を下流側の端部に有するチャンバーとが設けられた。【選択図】図１
2008229045.tif 000002
【特許請求の範囲】
【請求項１】
浴槽と、
前記浴槽の浴槽壁に開口され前記浴槽の内部に貯留された浴槽水が吸い込まれる吸入口と、
前記吸入口から浴槽水を吸入し加圧して吐出する加圧装置と、
前記浴槽のあふれ縁より下で前記浴槽壁に対して保持される一重構造の筒体を有し、前記筒体の内部に導入された浴槽水を、噴出方向を変化させながら前記浴槽の内部に噴出する噴流ノズルと、
を備え、
前記筒体の内部に、
前記加圧装置から送られる加圧浴槽水が導入される流水導入部と、
前記流水導入部より下流側で前記流水導入部に連通し、前記流水導入部に対して流路断面が縮小された流路断面収縮部と、
前記流路断面収縮部より下流側で前記流路断面収縮部に連通し、前記流路断面収縮部に対して流路断面が急拡大された流路断面急拡大部を上流側の端部に有し、且つ前記浴槽の内部に臨む噴出口を下流側の端部に有するチャンバーと、
が設けられたことを特徴とする噴流浴装置。
【請求項２】
前記筒体は前記浴槽における一方の短辺側浴槽壁に保持され、前記噴出口は他方の短辺側浴槽壁に対向していることを特徴とする請求項１記載の噴流浴装置。
【請求項３】
前記流水導入部の流路断面は、前記流路断面収縮部に向けて徐々に狭まっていることを特徴とする請求項１または２に記載の噴流浴装置。
【請求項４】
前記噴流ノズルは、前記噴出口の近傍に設けられて流路の一部を遮る遮蔽体をさらに有することを特徴とする請求項１〜３のいずれか１つに記載の噴流浴装置。
【請求項５】
前記遮蔽体は、前記遮蔽体と前記チャンバーの内壁部との間に放射状に設けられた３つ以上の支持部を介して前記チャンバーの内壁部に対して支持されていることを特徴とする請求項４記載の噴流浴装置。
【請求項６】
前記遮蔽体、前記支持部および前記チャンバーの内壁部が一体に成形されたことを特徴とする請求項５記載の噴流浴装置。
【請求項７】
前記チャンバーにおいて前記噴出口に続く内壁部を、前記筒体の軸中心に向けて傾斜させたことを特徴とする請求項１〜６のいずれか１つに記載の噴流浴装置。
【発明の詳細な説明】
【技術分野】
【０００１】
本発明は、浴槽内に噴流を噴出させる噴流ノズルを備えた噴流浴装置に関し、特にノズル中心軸まわりに旋回した噴流が噴出される噴流浴装置に関する。
【背景技術】
【０００２】
従来、浴槽壁に噴流ノズルを設けて、そのノズルから噴流を浴槽内に噴出させるものがあるが、その多くは、まっすぐに噴流を噴出させるものであり、噴流が入浴者の体の一部に局所的にあたり、噴流により受ける刺激が単調で飽きやすく、多様なマッサージ感は得られ難かった。
【０００３】
特許文献１には、外形形状が略円形で内部に設けた噴流孔の噴流口が軸芯位置より偏心すると共にユニット噴流口カバー内に回転自在に収容配置されたノズル本体と、バスタブ内の水を所定圧力でノズル本体の噴流孔内に噴射するオリフィスとを備えたノズル装置が開示されている。バスタブ内の水は、オリフィスを介してノズル本体の噴流孔内に所定圧力で噴射され、空気と混合して気泡混合噴流となり、噴流孔の噴流口からバスタブ内にジェット噴流として噴射される。この時、ノズル本体の噴流口が軸芯位置に対して偏心した位置に設けられていることから、オリフィスからの噴流によってノズル本体が回転し、これにより、ジェット噴流の噴射方向が変化する回転噴流が得られる。
【０００４】
しかし、特許文献１では、ノズル本体を回転させることで回転噴流を生じさせる構成であるため、そのノズル本体を回転自在に支持するための構造が複雑になり、安価に作製できない。さらには、回転摺動部分の摩耗やゴミ詰まりなどによる回転性能の低下が懸念される。
【０００５】
また、特許文献１では、浴槽壁に対して取り付けられる筒状の取付部材と、この取付部材の内部で回転自在に設けられた筒状のノズル本体とが二重筒状になった入れ子構造となっている。したがって、構造が複雑になるとともに、内筒に相当するノズル本体と、外筒に相当する取付部材との間に細い隙間が形成されており、その隙間にゴミ等がつまる目詰まりの心配もある。
【０００６】
また、特許文献２では、下流側に向かって流路幅を漸次拡大する案内壁を内面に有する構造体（内筒に相当）と、浴槽壁に取り付けられる構造体（外筒に相当）の内壁面との間に、下流に流れてきた流水の一部を上流側に還流させる流路が細い隙間として形成されていおり、特許文献２においても二重筒構造となっている。したがって、構造が複雑になると共に、狭い流路（隙間）の目詰まりの心配がある。
【０００７】
また、特許文献３においても、二重筒構造のノズルとなっており、やはり同様に、構造が複雑になると共に、狭い流路（隙間）の目詰まりの心配がある。
【０００８】
また、特許文献４では、噴流の運動が往復運動であるため、人体への刺激範囲が直線状の軌跡となり、刺激範囲としては不十分であった。また、さらに、特許文献４で開示の噴流ノズルは浴湯を空気中に噴出させるためのもので、腰、背中、脇腹、腕、脹脛、足裏等の、通常の入浴姿勢において浴湯中に存在する身体の一部については、刺激を与えることができない。
【特許文献１】特開２００１−８９９８号公報
【特許文献２】特開平２−１２８７６５
【特許文献３】特開平４−６１８５９
【特許文献４】特開平４−１７６４６１
【発明の開示】
【発明が解決しようとする課題】
【０００９】
本発明は、簡単な構造で旋回噴流を実現する噴流浴装置を提供する。
【課題を解決するための手段】
【００１０】
本発明の一態様によれば、浴槽と、前記浴槽の浴槽壁に開口され前記浴槽の内部に貯留された浴槽水が吸い込まれる吸入口と、前記吸入口から浴槽水を吸入し加圧して吐出する加圧装置と、前記浴槽のあふれ縁より下で前記浴槽壁に対して保持される一重構造の筒体を有し、前記筒体の内部に導入された浴槽水を、噴出方向を変化させながら前記浴槽の内部に噴出する噴流ノズルと、を備え、前記筒体の内部に、前記加圧装置から送られる加圧浴槽水が導入される流水導入部と、前記流水導入部より下流側で前記流水導入部に連通し、前記流水導入部に対して流路断面が縮小された流路断面収縮部と、前記流路断面収縮部より下流側で前記流路断面収縮部に連通し、前記流路断面収縮部に対して流路断面が急拡大された流路断面急拡大部を上流側の端部に有し、且つ前記浴槽の内部に臨む噴出口を下流側の端部に有するチャンバーと、が設けられたことを特徴とする噴流浴装置が提供される。
【発明の効果】
【００１１】
本発明によれば、簡単な構造で旋回噴流を実現する噴流浴装置が提供される。
【発明を実施するための最良の形態】
【００１２】
以下、図面を参照し、本発明の実施形態について説明する。
【００１３】
図２は、本発明の実施形態に係る噴流浴装置の概略構成を表す模式図である。  
図３は、同噴流浴装置において浴槽を側面方向から見た模式図である。
【００１４】
本実施形態に係る噴流浴装置は、図２に表すように、浴槽１と、浴槽１の浴槽壁３ｂに開口された吸入口５と、循環路１３、１４と、循環路１３、１４の途中に設けられた加圧装置であるポンプ７と、浴槽壁４ａに対して保持された噴流ノズル１１とを備える。
【００１５】
浴槽１は、略平行に相対向する一対の長辺側浴槽壁３ａ、３ｂと、略平行に相対向する一対の短辺側浴槽壁４ａ、４ｂとを有する。
【００１６】
吸入口５は長辺側浴槽壁３ｂに形成されている。ポンプ７が駆動されると、浴槽１の内部に貯留された浴槽水（湯も含む）は吸入口５を介して循環路１３へと吸い込まれる。
【００１７】
一般に、入浴者は、一方の短辺側浴槽壁（図２に表す具体例では短辺側浴槽壁４ａ）に背をもたれかけて、他方の短辺側浴槽壁（図２に表す具体例では短辺側浴槽壁４ｂ）に足を向けた姿勢で入浴するため、吸入口５を短辺側浴槽壁に形成した場合には、入浴者の背中や足裏で吸入口５がふさがれポンプ７に過剰の負荷がかかることが懸念される。したがって、吸入口５は、入浴者の身体の一部等によってふさがれにくい長辺側浴槽壁に形成するのが望ましい。なお、図２に表す具体例では、吸入口５を、長辺側浴槽壁３ｂに形成したが長辺側浴槽壁３ａに形成してもよい。
【００１８】
循環路１３の一端は吸入口５に接続され、他端はポンプ７の吸入口に接続されている。循環路１４の一端はポンプ７の吐出口に接続され、他端は噴流ノズル１１の流水導入口に接続されている。ポンプ７は、吸入口５から循環路１３内に浴槽水を吸い込むと共に、その吸い込んだ浴槽水を加圧してポンプ７の下流側の循環路１４に吐出する。このポンプ７から吐出された加圧浴槽水は、噴流ノズル１１の流水導入口に流入する。使用していないときに、ポンプ７内部の残留水を抜くために、ポンプ７は吸入口５よりも上方に設けることが望ましい。
【００１９】
本具体例では、図２に表すように、一方の短辺側浴槽壁４ａに、２つの噴流ノズル１１を取り付けている。２つの噴流ノズル１１は、略同じ高さ（本実施形態では、浴槽１の底面から概ね２３０（ｍｍ））に所定距離隔てて（本実施形態では、２つの噴流ノズル１１間の距離は概ね１６０（ｍｍ）で、且つ、２つの噴流ノズル１１の設置位置の中心と短辺側浴槽壁４ａ方向の中央部が一致するように）設けられている。噴流ノズル１１が取り付けられた一方の短辺側浴槽壁４ａの反対側の他方の短辺側浴槽壁４ｂの上方には浴槽側水栓が設けられる。したがって、通常、入浴者は自然と噴流ノズル１１が設けられた側の短辺側浴槽壁４ａに背中を向けた姿勢で入浴する。
【００２０】
図１（ａ）は、本発明の実施形態における噴流ノズル１１の模式断面図であり、図１（ｂ）は、図１（ａ）におけるＡ−Ａ断面図である。
【００２１】
噴流ノズル１１は、一端（上流端）に、循環路１４と連通される流水導入口２１が設けられ、他端（下流端）に噴出口２６が設けられた略円筒状の筒体２０を備える。
【００２２】
筒体２０は、噴出口２６を浴槽１の内部に臨ませて、上記一方の短辺側浴槽壁４ａに保持されている。筒体２０は浴槽１のあふれ縁より下で、浴槽壁４ａに対して保持されている。ここで、「あふれ縁」とは、浴槽１内に浴槽水をためていったとき、最初に浴槽１内から溢れる部分の浴槽１の縁（またはリム）を意味する。このような構成のため、噴流ノズル１１からの噴流を浴槽水中に噴出させることができる。
【００２３】
噴流ノズル１１の噴出口２６は、他方の短辺側浴槽壁４ｂに向いている。流水導入口２１は、浴槽１の外部で、循環路１４に接続されている。
【００２４】
流水導入口２１と噴出口２６との間の筒体２０内部には、上流側（流水導入口２１側）から順に、流水導入部２２、流路断面収縮部２３、チャンバー２５が設けられ、これらを介して流水導入口２１と噴出口２６との間は連通している。
【００２５】
流水導入部２２は、流水導入口２１と流路断面収縮部２３との間に設けられ、その流路断面は流水導入口２１から流路断面収縮部２３に向かうにしたがって徐々に狭められている。流路断面収縮部２３は、筒体２０の軸中心に位置し、流水導入口２１及び流水導入部２２に対して流路断面が縮小されている。
【００２６】
流路断面収縮部２３の下流側には、流路断面収縮部２３に対して流路断面が急拡大（例えば径が３倍以上急拡大された）された流路断面急拡大部２４を一端部（上流側端部）に有するチャンバー２５が設けられている。チャンバー２５は、流路断面急拡大部２４の内径寸法のまま噴出口２６近傍まで続いている。すなわち、チャンバー２５の上流側端部が流路断面急拡大部２４として機能し、チャンバー２５の下流側端部が噴出口２６として機能する。
【００２７】
流路断面収縮部２３から流路断面急拡大部２４にかけての筒体２０内空間を囲む壁面２３ａ、２４ａは略垂直に変化している。すなわち、流路断面収縮部２３まわりの壁面２３ａは、筒体２０の軸方向に対して略平行であるのに対して、流路断面急拡大部２４として機能するチャンバー２５の上流側端部の壁面２４ａは、壁面２３ａに対して略垂直に続いて径外方に広がって形成されている。この流路壁面の急変化により、後述するように流路断面急拡大部２４にて、壁面からの流れの剥離が生じる。
【００２８】
なお、壁面２４ａは、壁面２３ａに対して略垂直に広がっていることに限らず、流路断面急拡大部２４にて、流れの剥離が生じる程度に、下流側に向けて流路断面が拡径する漏斗（またはラッパ）状に形成されていてもよい。ただし、壁面２３ａに対して略垂直に続くように壁面２４ａが形成されている方が、流路断面急拡大部２４における流れの剥離を促進させやすい。
【００２９】
チャンバー２５の内壁面は、流路断面急拡大部２４から、噴出口２６の近傍に至るまでは筒体２０の軸中心Ｃに対して略平行に延在している。チャンバー２５の下流側において噴出口２６に続く内壁面は、筒体２０の軸中心Ｃに向けて傾斜された環状の傾斜面２８となっている。また、図２７に表すように、筒体２０の下流端に、チャンバー２５の内周面に対して略直角につながるリップ部２０ａを設け、そのリップ部２０ａの内周端に傾斜面２８を設けてもよい。この構造でも、図１に表す構造の傾斜面２８とした場合と同様の効果が得られる。
【００３０】
噴出口２６近傍のチャンバー２５内には、噴出口２６へと通じるチャンバー２５内流路の一部を遮る遮蔽体２７が設けられている。
【００３１】
図４（ａ）は、遮蔽体２７が設けられた部分における筒体２０及びチャンバー２５の断面図であり、図４（ｂ）は図４（ａ）におけるＡ−Ａ断面図である。
【００３２】
遮蔽体２７は円盤状に形成され、その中心を筒体２０の軸中心Ｃに一致させて、チャンバー２５の内部に設けられている。遮蔽体２７は、チャンバー２５内流路のすべてを遮蔽しておらず、遮蔽体２７とチャンバー２５の内壁部２５ｂとの間には、チャンバー２５から噴出口２６への流水の流れを許容する流路２５ａが確保されている。
【００３３】
遮蔽体２７は、遮蔽体２７とチャンバー２５の内壁部２５ｂとの間に放射状に設けられた３本の棒状の支持部３１を介してチャンバー２５の内壁部２５ｂに対して支持されている。支持部３１の一端は遮蔽体２７の内部に嵌入されて固定され、他端はチャンバー２５の内壁部２５ｂに形成された孔に嵌入されて固定されている。３本の支持部３１は、遮蔽体２７の外周面のまわりに周方向に沿って等間隔で設けられている。
【００３４】
遮蔽体２７は、流水導入口２１から導入されチャンバー２５を経て噴出口２６へと流れる加圧浴槽水の圧力（動圧）を受けるため、支持部３１が１本だけであると前記圧力に耐え得る十分な強度が得られず遮蔽体２７が外れてしまう可能性があり、支持部３１が２本だけであると、遮蔽体２７表面に作用する前記圧力が軸中心Ｃに対して非軸対称分布になることにより生じる支持部周りのモーメントの影響を受け、遮蔽体２７が回転してしまう可能性がある。したがって、支持部３１は、３本以上設けるのが望ましい。
【００３５】
例えば、図５（ａ）及びそのＢ−Ｂ断面図である図５（ｂ）に表すように、遮蔽体２７の外周面のまわりに周方向に沿って９０°おきに４本の支持部３１を設けてもよい。
【００３６】
また、図６（ａ）及びそのＣ−Ｃ断面図である図６（ｂ）に表すように、遮蔽体２７及びチャンバー２５の内壁部２５ｂに対して一体に支持部３２を設けてもよい。これにより、部品数を少なくすることができ、安価に作製することができる。
【００３７】
図７（ａ）及びそのＤ−Ｄ断面図である図７（ｂ）に表すように、筒体２０及び遮蔽体２７を一体に成形した後、支持部３３を残すようにして遮蔽体２７のまわりをくり抜いて、チャンバー２５から噴出口２６への流水の流れを許容する流路２５ａを形成するようにしてもよい。
【００３８】
次に、本発明の実施形態に係る噴流浴装置の作用について、図２を参照して説明する。
【００３９】
浴槽１近傍に設けられた図示しないコントローラのスイッチを入浴者が操作すると、ポンプ７が起動し、浴槽１内に貯留された浴槽水が吸入口５から循環路１３内へと吸入される。この吸入された浴槽水は、ポンプ７にて加圧されて、循環路１４を介して、噴流ノズル１１の流水導入口２１に導入される。噴流ノズル１１内に導入された加圧浴槽水は、以下に説明するように、噴出方向を不規則に変化させた旋回噴流として浴槽１内に噴出される。
【００４０】
図８（ａ）〜（ｄ）は、噴流ノズル１１にて旋回噴流が形成される作用を説明するための模式図である。
【００４１】
流水導入口２１から導入された加圧浴槽水は、流水導入部２２、流路断面収縮部２３および流路断面急拡大部２４を順に経てチャンバー２５内に噴流となって流入する。加圧浴槽水が、流路断面収縮部２３からチャンバー２５内に流入する際、流路断面の急拡大により、筒体１１内壁面に沿って流れることができなくなり、すなわち流路内壁面に対して流れの剥離が生じる。
【００４２】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー２５の内壁面の周の一部に流れが再付着する。
【００４３】
チャンバー２５の内壁面に付着した主流は、そのままチャンバー２５内壁面に沿い、遮蔽体２７の外周面とチャンバー２５内壁面との間を噴出口２６に向かって流れ、噴出口２６の手前（上流側）で筒体１１の軸中心に向かうように傾斜して形成された傾斜面２８に沿って軸中心Ｃに対して傾斜した噴流として噴出口２６から浴槽１内に噴出する。
【００４４】
以上のようにして、噴流ノズル１１内に、主流（図８（ａ）において太線矢印ａで表す）が形成される。
【００４５】
流路断面収縮部２３に比べて噴出口２６の流路断面が大きく、流れは下流に向かって減速、すなわち、チャンバー２５内部では下流に向かって静圧が増加する逆圧力勾配が形成されること、さらにチャンバー２５内に流路の一部を遮るように遮蔽体２７が設けられていることによって、前述した主流の一部は、噴出口２６から噴出されず、図８（ｂ）において矢印ｂで表すように、チャンバー２５の上流側に戻される。
【００４６】
その上流側に戻された流れが、図８（ｃ）に表すように、流路断面急拡大部２４付近にて主流が剥離したよどみ領域に流れ込むことで、図８（ｄ）に表すように、流路断面急拡大部２４付近で中心軸Ｃまわりに旋回流が形成され、これにより、主流の内壁面に対する再付着位置が周方向で不規則に変化し、噴出口２６からは中心軸Ｃまわりに不規則に旋回した噴流が噴出される。
【００４７】
噴出流に気泡を混入させて噴出流を可視化した状態で、本実施形態に係る噴出ノズル１１から旋回噴流を噴出させた様子を、図９（ａ）〜（ｄ）の写真図に表す。上述したように、チャンバー２５内は、噴出口２６面に比べ圧力が低く、ノズル１１が図３中に示すような高さ位置に取り付けられるのであれば、チャンバー２５内は概ね負圧を生じており、チャンバー壁の任意の位置に空気流入口を設けることで空気を自給させることができる。
【００４８】
入浴者は、噴流ノズル１１から噴出される旋回噴流を、腰、背、肩、手、足等の身体の一部に受けることにより、マッサージ効果を得ることができる。噴流ノズル１１から噴出される噴流は、一般的に広く知られる気泡浴装置による細く強い直線的な噴流とは異なり、太くやわらかい旋回噴流であるため、腰を包み込む、背中、腰全体を押すようにもみほぐすなど、局所的に強い刺激感ではなく、広範囲をもみほぐすような手もみに近いマッサージ感を得ることができ、長時間入浴していても飽きがなくゆったりとリラックスできる。また、直線的な強い噴流を局所的に受ける場合には、所望の部位にその噴流を受けるべく姿勢を保つために緊張状態になりがちであったが、本実施形態の旋回噴流は広範囲にわたってやわらかい刺激を与えるため、入浴者に緊張を強いることなく、力を抜いたリラックスした状態にさせやすい。
【００４９】
本実施形態に係る噴流ノズル１１から噴出される噴流は旋回しているので、気泡が混入されなくても、マッサージ感を受けるのに十分な刺激感が得られる。むしろ気泡混入では得られない水で押されるような手もみに近いマッサージ感が得られる。また、気泡を混入しない分、噴流の噴出音及び気泡混入時の音を低減して、静かな環境でよりリラックスできる。もちろん、上記したように、容易に気泡を混入することが可能であるので、本実施形態に係る旋回噴流に気泡を混入してもよく、その場合、気泡を混入しない場合よりも噴流の旋回力が弱まる。
【００５０】
本発明者等は、９人の被験者に対して、気泡混入有りと無しの場合それぞれについて感応試験を行った。その結果を表１、２に示す。
【００５１】
【表１】
2008229045.tif 000003
【００５２】
【表２】
2008229045.tif 000004
【００５３】
表１の結果より、気泡混入噴流の方が刺激を強く感じる傾向にあり、また、表２の結果より、気泡混入なしの方が噴流の旋回を感じやすいとの結果が得られた。したがって、使用者の好みに応じて、気泡混入有無の切り替えもしくは気泡混入量の調整により、多彩な刺激感を実現することが可能である。  
例えば、気泡混入量が多いと噴流全体の流量が大きくなり強い刺激を実現することが可能であるし、気泡混入量が少ないと数ｍｍ程度の径の小さな気泡を多数発生させることができ、小さな気泡につつまれる柔らかい刺激感を実現することが可能である。さらには、数十μｍの微細気泡を混入させると、気泡により白濁した噴流が実現されるため視覚的に楽しめる。
【００５４】
また、本実施形態に係る噴流ノズル１１は、噴流ノズル１１内に導入された流体自身が、前述したようにチャンバー２５内での還流作用によって、噴出口２６から噴出される噴流の旋回を励起する構成となっているため、特許文献１のような回転摺動部分が不要であり、ノズル構造が単純化され、安価に作製することができ、またメンテナンスも容易になる。さらには、回転摺動部分における摩耗やゴミ詰まりなどによる旋回性能低下の心配もない。
【００５５】
また、前述したように、特許文献１のノズルは二重筒状になった入れ子構造となっている。したがって、構造が複雑になるとともに、内筒に相当するノズル本体と、外筒に相当する取付部材との間に細い隙間が形成されており、その隙間にゴミ等がつまる目詰まりの心配もある。同様に、特許文献２、３においても、ノズルが二重筒構造となっている。したがって、構造が複雑になると共に、狭い流路（隙間）の目詰まりの心配がある。
【００５６】
これに対して本実施形態では、特許文献１〜３のように中心の流路の外側に別の流路が細い隙間として形成されておらず、筒体２０は一重構造である。すなわち、ひとつの筒体２０によって周囲が囲まれる単一空間（流路）内で、噴出口２６へと向かう主流、および主流とは逆方向に流れる還流が形成され、浴槽水中に旋回噴流として噴出される。したがって、構造が単純化され、安価に作製することができ、またメンテナンスも容易になる。さらには、目詰まりによる旋回性能低下の心配もない。
【００５７】
本実施形態において、前述したように、チャンバー２５内静圧は、浴槽１内に貯留された浴槽水の静圧より低く、チャンバー２５内部では下流側に向かって静圧が増加する逆圧力勾配が形成されるため、遮蔽体２７を設けなくても、主流の一部をチャンバー２５上流側に戻す還流を形成することは可能である。ただし、遮蔽体２７を設けた方が、逆静圧勾配（流れ方向に対して静圧が上昇）による還流形成に比べ、より安定した（確実性の増した）還流が形成されることから、噴流の旋回が安定する。
【００５８】
噴出口２６の手前（上流側）に傾斜面２８を設けなくても、上述したように主流がチャンバー２５内壁の周の一部に偏ることから偏向した噴流が実現されるが、傾斜面２８を設け、その傾斜面２８に主流を沿わせることで、主流の偏向を促進することができ、より広範囲にわたるやわらかな旋回噴流を形成しやすくなる。
【００５９】
図１０に表すように、流水導入部４２の内径は、流水導入口２１から流路断面収縮部４３ａにかけて略同じとしてもよい。この場合、流水導入部４２とチャンバー２５との境界に、軸中心Ｃに対して略垂直な隔壁４３を設け、その隔壁４３の中央に孔を設け、流路断面収縮部４３ａをオリフィス形状にて構成している。
【００６０】
ただし、図１に表す前述した実施形態のように、流水導入部２２の流路断面を、流水導入口２１から流路断面収縮部２３に向けて徐々に狭めることで、噴流ノズル１１内での圧力損失が小さくなり、噴出に際して大きな圧力を与えなくて済む。すなわち、ポンプ７を大きなものにしなくて済み、設置スペース及びコスト低減が図れる。
【００６１】
次に、本発明者等は、図１１に表すように、噴出口２６の近傍に圧力計４５を設け、噴出口２６から噴出される旋回噴流の圧力を測定した。圧力計４５は、噴出口２６から３０（ｍｍ）離れ、且つ軸中心Ｃから１０（ｍｍ）上方の位置に設けた。
【００６２】
噴流ノズル１１において図１に表す各寸法ｄ、Ｄ、ＤＣＢ、ｈ、Ｄｏｕｔ、Ｌ、Ｘは、それぞれ以下のように設計した。流路断面収縮部２３の内径ｄ＝８．３（ｍｍ）、流路断面拡大部２４及びチャンバー２５の内径Ｄ＝２７．８（ｍｍ）、遮蔽体２７の外径ＤＣＢ＝２０．９（ｍｍ）、遮蔽体２７の軸方向厚さｈ＝５．８（ｍｍ）、噴出口２６の口径Ｄｏｕｔ＝２２．３（ｍｍ）、チャンバー２５の長さＬ＝７６．６（ｍｍ）、遮蔽体２７の軸方向の中心から噴出口２６までの距離Ｘ＝１０．４（ｍｍ）。
【００６３】
噴流が計測点を通過する際には、噴流の動圧が加味されるため、計測される圧力は大きな値をとる。すなわち、横軸に時間を、縦軸に圧力計４５の測定値をとったグラフにおいて、図１１に表すような噴流の通過に同期した波形が得られる。この波形の時間変動周波数は、噴流の通過する周波数と一致することから、この圧力計４５で測定された旋回噴流圧力の時間変化データを高速フーリエ変換（ＦＦＴ:Fast Fourier Transform）して、旋回噴流圧力の旋回周波数スペクトルを算出した。  
そのグラフ図を、図１２に表す。図１２において、ａ、ｂ、ｃ、ｄ、ｅは、それぞれ、噴出流の流量を１５、２０、２５、３０、３５（リットル／分）に設定した場合のグラフを表す。
【００６４】
図１２の結果より、噴出流の旋回周波数は概ね１〜６Ｈｚ程度であり、これは、人の手によるもみマッサージに近い刺激を入浴者に与える。また、旋回周波数が一定ではなく不規則に変化するので自然なマッサージ感が得られ、入浴者に緊張感を与えにくい。
【００６５】
図１３は、圧力計４５によって測定された圧力の時間変化から、一連のデータを規定時間ごとに分けて高速フーリエ変換を行うことにより得られた噴流の旋回周波数の時間変化を求めた結果を示す。図１３において、縦軸に周波数、横軸に時間をとり、色の濃淡が周波数スペクトルのパワーの大きさを示し、色が薄いほどパワーが大きい。
【００６６】
本実施形態では、作動流体自身の乱れにより噴流の旋回運動が形成されるため、図１３に示すように、不規則に旋回周波数が変化してゆらいでいる時間帯と、ほぼ一定周波数で旋回している時間帯と、旋回していない時間帯とが不規則に存在する。結果として特別な制御をしなくても自然なゆらぎを持った旋回噴流を実現することができる。これにより、人による手もみ感覚に近づけることができ、変化に富んだ旋回噴流刺激が得られ、飽きがこない。
【００６７】
特許文献１の構成では、一定の旋回周波数となっており、飽きやすく、変化に富んだ多彩なマッサージ感が得られない。
【００６８】
一方、人が刺激を皮膚等を介して感じるときに、刺激を感じる受容器は人や刺激を受ける場所によっても異なるが、十数Ｈｚ〜数百Ｈｚの範囲に刺激を連続してもしくは連続と同様な刺激を受けているような錯覚を生じる。したがって、旋回刺激を感じるには、旋回周波数は１〜６Ｈｚ程度が望ましい。
【００６９】
次に、図１４は、流量と旋回周波数との関係を示すグラフ図である。横軸は、ポンプ７の下流側に接続された循環路１４に設けた流量計にて測定された流量（リットル／分）を表し、縦軸は、噴流の時間平均旋回周波数（Ｈｚ）を表す。グラフ中、丸は、本実施形態の構成においてチャンバー２５の内径Ｄ＝２７．８（ｍｍ）とした場合を、四角はＤ＝３３．２（ｍｍ）とした場合を、三角は特許文献１の構成を表す。
【００７０】
特許文献１の構成では、流量と旋回周波数とは比例関係にあり、旋回周波数を遅くさせたい場合、流量を小さくする必要があり、刺激感が減少し、逆に、流量を大きくして刺激感を強くしたい場合、旋回周波数が速くなってしまう。
【００７１】
本実施形態では、特許文献１に比べて、流量の変化に対する旋回周波数の変化が小さく、また流量４０（リットル／分）以上では旋回周波数はほぼ一定になり、旋回周波数はノズルの形状（チャンバー径Ｄ）によりほぼ決定され、旋回周波数が流量に大きく依存しない。したがって、手もみ感を得るべく所望の旋回周波数を維持したまま、流量の変更すなわち刺激感の調整が可能となる。
【００７２】
次に、流路断面収縮部の内径（チャンバー２５への流入口径）ｄを様々に変えて、流量（リットル／分）と、圧力（ＭＰａ）とを測定した。この測定結果を図１５に表す。流量は、ポンプ７の下流側に接続された循環路１４に設けた流量計にて測定し、圧力は、その循環路１４において流量計より下流側であって噴流ノズル１１の手前（上流側）に設けた圧力計にて測定した。
【００７３】
図１５において、ａ、ｂ、ｃ、ｄ、ｅ、ｆ、ｇ、ｈは、それぞれ、流路断面収縮部の内径ｄを６．０、７．０、８．０、８．３、８．５、９．０、１０．０、１２．０（ｍｍ）に設定した場合のグラフを表す。他の部分の寸法Ｄ、ＤＣＢ、ｈ、Ｄｏｕｔ、Ｌ、Ｘは、前述と同様である。
【００７４】
図１５中の各曲線上に記した記号は旋回感（噴流の旋回を感じる程度）と刺激感（噴流の刺激強さの程度）の官能評価を行った結果を示す記号である。ここで、バツ印（×）、白抜き三角（△）、黒塗り三角（▲）、白抜き丸（○）は、それぞれ、旋回感及び刺激感共に不十分の場合、旋回感は十分だが刺激感が不十分の場合、旋回感は不十分だが刺激感が十分の場合、旋回感及び刺激感共に十分の場合、を示している。
【００７５】
図１５の結果より、流路断面収縮部の内径ｄが大きい方が、噴流ノズル１１手前の循環路１４内における圧力が小さい、すなわちノズル部での圧損が小さい。ただし、流路断面収縮部の内径ｄをあまり大きくすると、噴出流の旋回性能が低下してしまう（図１５中領域Ｚ）ので、圧損を小さくしつつ所望の旋回性能を得るには、流路断面収縮部の内径ｄは概ね９．０（ｍｍ）以下が望ましい。  
【００７６】
流路断面収縮部の内径ｄが概ね９．０（ｍｍ）以下であっても、流量が２０（リットル／分）より小さいと噴流が弱すぎ、噴流の旋回もわずかしか感じとれない。さらに、流量が２５（リットル／分）以上であれば旋回感を感じるが、流路断面収縮部の内径ｄが小さすぎると、噴流の太さが細く感じられ、噴流浴装置としての刺激感としては物足りなさを感じる（図１５中領域Ｘ）。以上の点から、旋回感と刺激感を両立する、すなわち、手もみマッサージに近い感覚を得るには、流路断面収縮部の内径ｄが８．０〜９．０（ｍｍ）、且つ、流量は３０（リットル／分）以上であることが望ましい（図１５中領域Ｙ）。
【００７７】
流路断面収縮部の形状の違いによる圧損の大きさの違いを図１６に示す。  
圧損の計測は、上記の方法と同様に行った。グラフ中の白抜き丸（○）は、図１に示す流路断面収縮部２３とした場合の結果であり、白抜き三角（△）は、図１０に示す流路断面収縮部４３ａとした場合の結果である。
【００７８】
流路断面収縮部の内径ｄは５．５（ｍｍ）とし、他の部分の寸法Ｄ、ＤＣＢ、ｈ、Ｄｏｕｔ、Ｌ、Ｘは、前述と同様である。本条件においては、同流量時で比較すると、流路断面が流れ方向に向かってなだらかに縮小する図１に示した流路断面収縮部２３とした場合のノズル部圧損の大きさは、流量が１０〜５０（リットル／分）の範囲内においては、急激に断面が縮小する図１０に示す流路断面収縮部４３ａの場合の概ね６０％程度となり、低圧損化のためには図１に示す流路断面収縮部２３のようななだらかに断面が収縮する形状がよい。
【００７９】
次に、図１７は、本実施形態に係る噴流ノズル１１において、旋回噴流の噴出角度の時間変化を示すグラフ図である。
【００８０】
噴流角度は、旋回噴流を横方向から見た場合において、噴流ノズル１１の中心軸Ｃに対するある瞬間の角度を表す。中心軸Ｃ（角度０°）に対して上方に傾いている場合を正の値、下方に傾いている場合を負の値とし、例えば、図１８（ａ）は噴流角度が１３°の場合を、図１８（ｂ）は噴流角度が−２３°の場合の写真図である。
【００８１】
実際に人がマッサージをする場合において、人体表面に対して荷重を加えながら、その荷重位置を移動させるため、人体表面に対する荷重の方向は概ね人体表面に対して斜め方向となる。本実施の形態の旋回噴流は、人の手によるマッサージと同様に、中心軸Ｃから偏向して噴出し、且つ、噴流衝突点が移動し、人体表面に対して斜め方向から衝突するので、人の手に近い手もみマッサージ感覚を得やすい。
【００８２】
また、図１７に示したように、本実施の形態の旋回噴流は、噴流ノズル１１の中心軸Ｃから０°〜３０°傾いて噴出するため、噴出口２６からの距離により刺激感が異なる。噴出口２６からの距離が概ね２０（ｍｍ）以下の場合には、狭い範囲を強く押されるような刺激感が得られる。噴出口２６からの距離が概ね２０〜１００（ｍｍ）の位置では、噴流の旋回が顕著に感じられ、噴流によるもみ感が得られる。噴出口２６からの距離が概ね１００（ｍｍ）以上の位置では、旋回により大きく拡散した噴流によって、広範囲を押されるような刺激感が得られる。
【００８３】
図１７の結果より、噴出角度が時間的に不規則に揺らいでいるのがわかる。これにより、特別な制御をしなくても変化に富んだ旋回噴流を実現することができる。旋回噴流の噴出角度が不規則に変化することで、旋回噴流のあたる範囲が不規則に変化し、飽きをまねかない。
【００８４】
ここで、図３に表されるように、入浴者が短辺側浴槽壁４ａに背をもたれて、くつろいで入浴する場合、臀部を短辺側浴槽壁４ａからやや離れた位置に置き、図示しない浴槽用枕等に頭部をのせたり、首、肩あるいは背の一部を短辺側浴槽壁４ａに接触させた入浴姿勢をとることから、入浴者の上半身は自然と短辺側浴槽壁４ａに対して傾斜し、噴流ノズル１１が設置されている高さ（本実施の形態では底面より２３０ｍｍ）では、短辺側浴槽壁４ａと入浴者との間には概ね３０〜１００（ｍｍ）程度の隙間が生じる。また、一方で、噴流ノズル１１は互いに着脱自在な少なくとも２つ以上の複数のノズル構成部品からなり、これら複数のノズル構成部品によって、短辺側浴槽壁４ａに開口する穴部に、例えばフランジ等の接続手段を用いて、短辺側浴槽壁４ａを挟み込むようにして保持されるから、噴流ノズル１１の先端つまり、噴出口２６は、短辺側浴槽壁４ａに対して、概ね５〜１０（ｍｍ）浴槽内部に位置する。
【００８５】
すなわち、噴流ノズル１１を短辺側浴槽壁４ａに配置することで、噴出口２６から人体までの距離は概ね２０〜９５（ｍｍ）程度となり、短辺側浴槽壁４ａに背をもたれた入浴者の身体の一部に的確に噴流を当てることができ、十分な手もみ感を与えることができる。
【００８６】
噴流ノズル１１から噴出される噴流は、特に気泡を混入しない場合には、前述したように、やわらかい刺激の旋回噴流であるため、直線的な強い刺激を与える噴流の場合に比べて、入浴者は噴出口２６に近づきやすく、場合によっては噴出口２６を背中で塞いでしまうことが起こり得る。
【００８７】
そこで、噴流ノズル１１の先端部を、この噴流ノズル１１が取り付けられた短辺側浴槽壁４ａの内面より浴槽内方に例えば１０ｍｍ出っ張らせれば、入浴者がその背をぴったり短辺側浴槽壁４ａの内面に沿わせた場合には、噴流ノズル１１の出張部が背に当たり不快に感じるため、入浴者は自然と背を短辺側浴槽壁４ａから離す姿勢をとることになり、噴出口２６が入浴者の背で塞がれてしまうのを防ぐことができる。
【００８８】
噴流ノズル１１先端部の、浴槽壁内面からの出っ張り長さが５ｍｍ以下では入浴者が感触として噴流ノズル１１の出っ張りを感じにくく、また、出っ張り長さが３０ｍｍ以上ではその出っ張った部分が入浴中に邪魔となり、またデザイン性も損ねる。したがって、噴流ノズル１１先端部の、浴槽壁内面からの出っ張り長さは５〜３０ｍｍの間に設定するのが望ましい。
【００８９】
浴槽底面よりリム面までの高さが５２５ｍｍの浴槽の短辺側浴槽壁に、先端部を１０ｍｍ浴槽内方に出っ張らせて噴流ノズル１１を設けた構成において、身長が１５５〜１７５ｃｍの入浴者が、リムに頭から首の部分をもたれかけるように、背中の上部を浴槽壁面に接触させて浴槽内に入った（浴槽底面に座った）場合、噴流ノズル１１先端から、入浴者の背中または腰までの距離は３０〜８０ｍｍとなり、前述した噴流ノズル１１からの旋回噴流を、入浴者の背または腰の一部に的確に当てて、十分な手もみ感または指圧感を与えることができる。
【００９０】
噴流ノズル１１から噴出される旋回噴流は、直線的に噴出される噴流に比べて、噴出口と人体との間の距離の変動によって、噴流が人体に当たる範囲（衝突範囲）が変わりやすく、入浴者と噴出口との間の距離によっては手もみ感または指圧感を得られない場合がある。しかし、前述したように、噴出ノズル１１先端部の出っ張り長さを適切に設定することで、噴出口と人体との間の距離を例えば３０〜８０ｍｍに自然とさせることができ、十分な手もみ感または指圧感を与えることが可能となる。
【００９１】
また、図２９に示すように、噴流ノズル１１が取り付けられた短辺側浴槽壁４ａの上部（噴流ノズル１１取付位置よりも上方の部分）に、浴槽内方に向けて出っ張った枕１０１や背当て１０２を設けることで、入浴者を所望の姿勢に規制して、噴出口２６と、入浴者の背または腰との間に所望の間隔（３０〜８０ｍｍ）が自然と形成されるようにすることもできる。
【００９２】
枕１０１や背当て１０２の厚みを、（噴流ノズル１１の出っ張り長さ）＋（３０〜８０ｍｍ）とすれば、入浴者が頭から首さらに背にかけての部分を枕１０１と背当て１０２にもたれかけた姿勢で浴槽底面に座った場合、入浴者の背または腰が噴流ノズル１１先端から自然と３０〜８０ｍｍ程度離れ、手もみ感または指圧感を得るのに最適な姿勢とすることができる。なお、枕１０１と背当て１０２は、いずれか一方のみを設けてもよい。
【００９３】
遮蔽体２７とチャンバー２５内壁面との隙間は、子供の指が入らないように５ｍｍ以内であることが望ましい。また、噴出口２６の内周縁部は、指がかかっても安全なように、エッジ状ではなく曲面状に形成するのが望ましい。
【００９４】
また、噴流ノズル１１の、浴槽底面からの高さは、噴流ノズル１１から噴出される噴流が浴槽１内に貯留された浴槽水の水面から飛び出さない範囲内で適宜設定できる。
【００９５】
図２５は、噴流ノズルの他の具体例を表す。この噴流ノズルにおける遮蔽体４７は、噴出口２６に向き合う面の反対側（上流側）の面が曲面状に形成されている。チャンバー２５内を流れてきた浴槽水が当たる面を曲面状にすることで、浴槽水中に含まれる砂等の異物の、遮蔽体４７に対する衝突を緩和でき、遮蔽体４７が外れたり破損するのを防止できる。
【００９６】
吸入口５の数は１つに限らず複数設けてもよい。
【００９７】
また、浴槽内に砂等が混入する可能性もあり、循環路１３、１４内の流速が速すぎると砂等が管内壁面に衝突し損傷させるおそれがあるので、循環路１３、１４内の流速が概ね２（ｍ／秒）以下になるように循環路内径が設計されることが望ましい。
【００９８】
ポンプ７は、図示しないが、噴流ノズル１１の流水導入口２１側に一体に設けてもよい。
【００９９】
噴流ノズル１１は２つに限らず、図１９に表すように、１つの噴流ノズル１１を短辺側浴槽壁４ａに設けてもよい。もちろん、３つ以上の噴流ノズル１１を設けてもよい。
【０１００】
また、図２０、図２１に表すように、一対の長辺側浴槽壁３ａ、３ｂにおいて短辺側浴槽壁４ａに近い位置（短辺側浴槽壁４ａに背を向けた姿勢で入浴する入浴者の胴部の横に位置する位置）にそれぞれ噴流ノズル１１を設けてもよい。図２０の場合には、各噴流ノズル１１の噴出口２６から、入浴者の胴部側面から脚に向けて旋回噴流が噴出される。図２１の場合には、各噴出口２６は自身が設けられた長辺側浴槽壁３ａ、３ｂに対向する長辺側浴槽壁３ａ、３ｂに向けられ、各噴出口２６からは浴槽１の長辺方向に対して略垂直に、入浴者の側部に向けて旋回噴流が噴出される。
【０１０１】
また、図２２に表すように、入浴者の足が向けられる短辺側浴槽壁４ｂに、例えば浴槽短辺方向に離間して２つの噴流ノズル５１を設けてもよい。この噴流ノズル５１は、前述した噴流ノズル１１と同様な旋回噴流を噴出するノズルであってもよいし、まっすぐに噴流を噴出するノズルであってもよい。また、噴流ノズル５１は気泡が混入された噴流を噴出する気泡噴流ノズルであってもよい。各噴流ノズル５１の噴出口５１ａは、反対側の短辺側浴槽壁４ａに対向し、各噴出口５１ａからは入浴者の足裏、下肢、体部前面などに向けて噴流が噴出される。
【０１０２】
ポンプ７の吸込口は、循環路１３を介して、例えば長辺側浴槽壁３ｂに開口された吸入口５に接続されている。ポンプ７の吐出口は、切替手段（例えば三方弁）５３を介して、循環路１４と循環路５２に接続されている。循環路１４は、一方の短辺側浴槽壁４ａに設けられた噴流ノズル１１に接続され、循環路５２は、他方の短辺側浴槽壁４ｂに設けられた噴流ノズル５１に接続されている。
【０１０３】
切替手段５３は、ポンプ７から吐出される加圧浴槽水の供給先を循環路１４または循環路５２に選択的に切り替える。この切り替え制御は、循環路１４、５２のうち一方だけをポンプ７に接続させる開閉制御であってもよいし、両循環路１４、５２をポンプ７と接続させ、両循環路１４、５２に対する流量比可変制御であってもよい。
【０１０４】
また、複数の噴流ノズル１１、５１を設けた場合には、図２３に表すように、各噴流ノズル１１、５１への浴槽水の供給経路（循環経路）を複数系統設けてもよい。
【０１０５】
例えば、長辺側浴槽壁３ｂに２つの吸入口５、５５が形成され、一方の吸入口５は、循環路１３、ポンプ７、循環路１４を介して一方の短辺側浴槽壁４ａに設けられた噴流ノズル１１に接続され、他方の吸入口５５は、循環路５６、ポンプ５７、循環路５４を介して他方の短辺側浴槽壁４ｂに設けられた噴流ノズル５１に接続されている。
【０１０６】
また、循環系統及びポンプを２つ設けた場合であっても、図２４に表すように、各系統で１つの吸入口５を共用してもよい。
【０１０７】
また、図２８に表すように、噴流ノズル１１が取り付けられた浴槽壁４ａの外壁面にポンプ６０を設けてもよい。
【０１０８】
浴槽壁４ａに吸入口５が形成されている。ポンプ６０内には、吸入通路、吐出通路を介して、吸入口５と、噴流ノズル１１の流水導入部に通じるポンプ室６２が形成されている。ポンプ室６２内にはポンプモータ６１によって回転駆動されるインペラ６３が配置されている。ポンプモータ６１の駆動によりインペラ６３が回転すると、吸入口５及び吸入通路を介して浴槽内の浴湯が吸い込まれてポンプ室６２に入り、さらに吐出通路を介して噴流ノズル１１内に導入され、浴槽内に噴出される。
【０１０９】
また、遮蔽体２７は、図２７に表すように、チャンバー２５より外側の噴出口２６に臨む位置に設けてもよく、この場合でも、主流の一部をチャンバー２５の上流側に戻して前述したような作用にて旋回噴流を形成することができる。
【０１１０】
筒体２０は、前述した実施の形態で示したような略円筒形状のみに限定されるものではなく、略楕円筒形状であってもよい。
【図面の簡単な説明】
【０１１１】
【図１】（ａ）は、本発明の実施形態に係る噴流ノズルの模式断面図であり、（ｂ）は、（ａ）におけるＡ−Ａ断面図である。
【図２】本発明の実施形態に係る噴流浴装置の概略構成を表す模式図である。
【図３】同噴流浴装置において浴槽を側面方向から見た模式図である。
【図４】（ａ）は、本実施形態に係る噴流ノズル要部の断面図であり、（ｂ）は図４（ａ）におけるＡ−Ａ断面図である。
【図５】（ａ）は、他の具体例の噴流ノズル要部の断面図であり、（ｂ）は図５（ａ）におけるＢ−Ｂ断面図である。
【図６】（ａ）は、さらに他の具体例の噴流ノズル要部の断面図であり、（ｂ）は図６（ａ）におけるＣ−Ｃ断面図である。
【図７】（ａ）は、さらに他の具体例の噴流ノズル要部の断面図であり、（ｂ）は図７（ａ）におけるＤ−Ｄ断面図である。
【図８】本実施形態に係る噴流ノズルにて旋回噴流が形成される様子を説明するための模式図である。
【図９】噴出流に気泡を混入させて噴出流を可視化した状態で、本実施形態に係る噴出ノズルから旋回噴流を噴出させた様子を表す写真図である。
【図１０】他の具体例に係る噴流ノズルの要部断面図である。
【図１１】本実施形態に係る噴流ノズルの噴出口近傍に圧力計を設け、噴出口から噴出される旋回噴流の圧力の測定実験を説明するための模式図である。
【図１２】図１１に表す圧力計で測定された旋回噴流圧力の時間変化データを高速フーリエ変換（ＦＦＴ:Fast Fourier Transform）して、旋回噴流圧力の旋回周波数スペクトルを算出したグラフ図である。
【図１３】図１１に表す圧力計によって測定された圧力の時間変化から、噴流の旋回周波数の時間変化を求めた結果を示す図である。
【図１４】流量と、噴出流の旋回周波数との関係を示すグラフ図である。
【図１５】本実施形態に係る噴流ノズルにおける流路断面収縮部の内径（チャンバーへの流入口径）ｄを様々に変えて、流量（リットル／分）と、圧力（ＭＰａ）とを測定した結果を表すグラフ図である。
【図１６】流路断面収縮部の形状の違いによる圧損の大きさの違いを示すグラフ図である。
【図１７】本実施形態に係る噴流ノズルにおいて、旋回噴流の噴出角度の時間変化を示すグラフ図である。
【図１８】本実施形態に係る噴流ノズルにおいて、（ａ）は噴流角度が１３°の場合を、（ｂ）は噴流角度が−２３°の場合の写真図である。
【図１９】他の具体例に係る噴流浴装置の概略構成を表す模式図である。
【図２０】さらに他の具体例に係る噴流浴装置の概略構成を表す模式図である。
【図２１】さらに他の具体例に係る噴流浴装置の概略構成を表す模式図である。
【図２２】さらに他の具体例に係る噴流浴装置の概略構成を表す模式図である。
【図２３】さらに他の具体例に係る噴流浴装置の概略構成を表す模式図である。
【図２４】さらに他の具体例に係る噴流浴装置の概略構成を表す模式図である。
【図２５】他の具体例に係る噴流ノズルの模式断面図である。
【図２６】本発明の実施形態に係る噴流ノズルにおいてチャンバー下流端の構造の他の具体例を表す模式図である。
【図２７】本発明の実施形態に係る噴流ノズルにおいて遮蔽体を設ける位置の変形例を表す模式図である。
【図２８】本発明の実施形態に係る噴流浴装置においてポンプの取付形態の他の具体例を表す図である。
【図２９】本発明の実施形態に係る噴流浴装置において入浴者の姿勢規制手段を設けた具体例を表す図である。
【符号の説明】
【０１１２】
１…浴槽、５…吸入口、１１…噴流ノズル、２０…筒体、２２…流水導入部、２３…流路断面収縮部、２４…流路断面急拡大部、２５…チャンバー、２６…噴出口、２７…遮蔽体、３１〜３３…支持部
【図１】
2008229045.tif 000005
【図２】
2008229045.tif 000006
【図３】
2008229045.tif 000007
【図４】
2008229045.tif 000008
【図５】
2008229045.tif 000009
【図６】
2008229045.tif 000010
【図７】
2008229045.tif 000011
【図８】
2008229045.tif 000012
【図１０】
2008229045.tif 000013
【図１１】
2008229045.tif 000014
【図１４】
2008229045.tif 000015
【図１５】
2008229045.tif 000016
【図１６】
2008229045.tif 000017
【図１７】
2008229045.tif 000018
【図１９】
2008229045.tif 000019
【図２０】
2008229045.tif 000020
【図２１】
2008229045.tif 000021
【図２２】
2008229045.tif 000022
【図２３】
2008229045.tif 000023
【図２４】
2008229045.tif 000024
【図２５】
2008229045.tif 000025
【図２６】
2008229045.tif 000026
【図２７】
2008229045.tif 000027
【図２８】
2008229045.tif 000028
【図２９】
2008229045.tif 000029
【図９】
2008229045.tif 000030
【図１２】
2008229045.tif 000031
【図１３】
2008229045.tif 000032
【図１８】
2008229045.tif 000033
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
浴槽と、
前記浴槽の浴槽壁に開口され前記浴槽の内部に貯留された浴槽水が吸い込まれる吸入口と、
前記吸入口から浴槽水を吸入し加圧して吐出する加圧装置と、
前記浴槽のあふれ縁より下で前記浴槽壁に対して保持される一重構造の筒体を有し、前記筒体の内部に導入された浴槽水を、噴出方向を変化させながら前記浴槽の内部に噴出する噴流ノズルと、
を備え、
前記筒体の内部に、
前記加圧装置から送られる加圧浴槽水が導入される流水導入部と、
前記流水導入部より下流側で前記流水導入部に連通し、前記流水導入部に対して流路断面が縮小された流路断面収縮部と、
前記流路断面収縮部より下流側で前記流路断面収縮部に連通し、前記流路断面収縮部に対して流路断面が急拡大された流路断面急拡大部を上流側の端部に有し、且つ前記浴槽の内部に臨む噴出口を下流側の端部に有し、下流側における前記噴出口に続く内壁面が前記筒体の軸中心に向けて傾斜しているチャンバーと、
前記噴出口の近傍の前記チャンバー内に設けられ、前記噴出口へと通じるチャンバー内の流路の一部を遮る遮蔽体と、
が設けられたことを特徴とする噴流浴装置。
【請求項２】
前記筒体は前記浴槽における一方の短辺側浴槽壁に保持され、前記噴出口は他方の短辺側浴槽壁に対向していることを特徴とする請求項１記載の噴流浴装置。
【請求項３】
前記流水導入部の流路断面は、前記流路断面収縮部に向けて徐々に狭まっていることを特徴とする請求項１または２に記載の噴流浴装置。
【請求項４】
前記遮蔽体は、前記遮蔽体と前記チャンバーの内壁部との間に放射状に設けられた３つ以上の支持部を介して前記チャンバーの内壁部に対して支持されていることを特徴とする請求項１〜３のいずれか１つに記載の噴流浴装置。
【請求項５】
前記遮蔽体、前記支持部および前記チャンバーの内壁部が一体に成形されたことを特徴とする請求項４記載の噴流浴装置。
【請求項６】
前記流路断面収縮部から前記流路断面急拡大部にかけての前記筒体内空間を囲む壁面が略垂直に変化していることを特徴とする請求項１〜５のいずれか１つに記載の噴流浴装置。
【手続補正２】
【補正対象書類名】明細書
【補正対象項目名】００１０
【補正方法】変更
【補正の内容】
【００１０】
本発明の一態様によれば、浴槽と、前記浴槽の浴槽壁に開口され前記浴槽の内部に貯留された浴槽水が吸い込まれる吸入口と、前記吸入口から浴槽水を吸入し加圧して吐出する加圧装置と、前記浴槽のあふれ縁より下で前記浴槽壁に対して保持される一重構造の筒体を有し、前記筒体の内部に導入された浴槽水を、噴出方向を変化させながら前記浴槽の内部に噴出する噴流ノズルと、を備え、前記筒体の内部に、前記加圧装置から送られる加圧浴槽水が導入される流水導入部と、前記流水導入部より下流側で前記流水導入部に連通し、前記流水導入部に対して流路断面が縮小された流路断面収縮部と、前記流路断面収縮部より下流側で前記流路断面収縮部に連通し、前記流路断面収縮部に対して流路断面が急拡大された流路断面急拡大部を上流側の端部に有し、且つ前記浴槽の内部に臨む噴出口を下流側の端部に有し、下流側における前記噴出口に続く内壁面が前記筒体の軸中心に向けて傾斜しているチャンバーと、前記噴出口の近傍の前記チャンバー内に設けられ、前記噴出口へと通じるチャンバー内の流路の一部を遮る遮蔽体と、が設けられたことを特徴とする噴流浴装置が提供される。
【手続補正３】
【補正対象書類名】明細書
【補正対象項目名】００２９
【補正方法】変更
【補正の内容】
【００２９】
チャンバー２５の内壁面は、流路断面急拡大部２４から、噴出口２６の近傍に至るまでは筒体２０の軸中心Ｃに対して略平行に延在している。チャンバー２５の下流側において噴出口２６に続く内壁面は、筒体２０の軸中心Ｃに向けて傾斜された環状の傾斜面２８となっている。また、図２６に表すように、筒体２０の下流端に、チャンバー２５の内周面に対して略直角につながるリップ部２０ａを設け、そのリップ部２０ａの内周端に傾斜面２８を設けてもよい。この構造でも、図１に表す構造の傾斜面２８とした場合と同様の効果が得られる。